(57)【特許請求の範囲】
【請求項１】
印刷データを受信して印刷する印刷装置と、前記印刷装置に印刷データを送信する携帯端末装置とを備えたデータ印刷システムであって、
前記印刷装置の配置面上に配置された前記携帯端末装置の形体又は位置又は配置回数を配置状態として判別する状態判別手段と、
前記状態判別手段によって判別された配置状態に応じて印刷制御情報を決定する決定手段と、
前記携帯端末装置から印刷データを受信して印刷する場合に、前記決定手段によって決定された印刷制御情報にしたがって当該印刷データの印刷を制御する印刷手段と、
を備えることを特徴とするデータ印刷システム。
【請求項２】
前記決定手段は、前記状態判別手段によって配置状態として判別された前記携帯端末装置の形体に応じてその形体と相似形の領域を印刷範囲とする印刷制御情報を決定する、
ようにしたことを特徴とする請求項１に記載のデータ印刷システム。
【請求項３】
前記決定手段は、前記状態判別手段によって配置状態として判別された前記携帯端末装置の位置に応じて用紙サイズを示す印刷制御情報を決定する、
ようにしたことを特徴とする請求項１に記載のデータ印刷システム。
【請求項４】
前記決定手段は、前記状態判別手段によって配置状態として判別された配置回数に基づいて印刷制御情報を決定する際に、同一用紙上を複数の領域に分割して印刷する分割領域数を示す印刷制御情報を決定し、
前記印刷手段は、前記決定手段によって決定された印刷制御情報にしたがって印刷する際に、同一用紙上を前記分割領域数に応じて分割した各分割領域内に異なるデータを割り当てながら領域毎に印刷を行う、
ようにしたことを特徴とする請求項１に記載のデータ印刷システム
【請求項５】
印刷データを受信して印刷する印刷装置と、この印刷装置に印刷データを送信する携帯端末装置とを備えたデータ印刷システムであって、
前記印刷装置は、
当該印刷装置に配置されている前記携帯端末装置の配置状態を判別する状態判別手段と、
前記状態判別手段によって判別された配置状態に応じて印刷制御情報を決定する決定手段と、
前記携帯端末装置から印刷データを受信して印刷する場合に、前記決定手段によって決定された印刷制御情報にしたがって当該印刷データの印刷を制御する印刷手段と、
を備えることを特徴とするデータ印刷システム。
【請求項６】
携帯端末装置のコンピュータに対して、
印刷データを受信して印刷する印刷装置の配置面上に配置された前記携帯端末装置の形体又は位置又は配置回数を、配置状態として判別する機能と、
前記判別された配置状態に応じて印刷制御情報を決定する機能と、
前記決定された印刷制御情報と前記印刷データを前記印刷装置に送信する機能と、
を実現させるためのプログラム。
【請求項７】
携帯端末装置から送信される印刷データを受信して印刷する印刷装置のコンピュータを制御するためのプログラムであって、
前記コンピュータを、
当該印刷装置に配置されている前記携帯端末装置の配置状態を判別する状態判別手段、
前記状態判別手段によって判別された配置状態に応じて印刷制御情報を決定する決定手段、
前記携帯端末装置から印刷データを受信して印刷する場合に、前記決定手段によって決定された印刷制御情報にしたがって当該印刷データの印刷を制御する印刷手段、
として機能させるためのプログラム。
【発明の詳細な説明】
【技術分野】
【０００１】
本発明は、印刷データを受信して印刷する印刷装置と、この印刷装置に印刷データを送信する携帯端末装置とを備えデータ印刷システム、携帯端末装置及びプログラムに関する。
【背景技術】
【０００２】
一般に、コンビニエンスストアなどに設置されている複合型印刷装置（コピー機）は、カラーコピー機能、ＦＡＸ機能、拡大印刷機能などが集約されて多機能化されることによって、利用度が高まってきているが、その利用者は、コピー対象の原稿を持参して、コピー機側のキーを操作して、印刷書式を設定してから印刷開始を指示するようにしていた。また、従来では、印刷対象のデータが携帯電話機などの携帯端末内に記憶されている場合には、携帯端末とコピー機とをケーブル接続した状態において印刷データをコピー機に送信するようにした技術が提案されている（特許文献１参照）。
【先行技術文献】
【特許文献】
【０００３】
【特許文献１】特開２００３−２４１９１１号公報
【発明の概要】
【発明が解決しようとする課題】
【０００４】
しかしながら、上述した特許文献の技術にあっても、印刷対象の原稿を持参する場合と同様に、印刷書式を設定するためには面倒な操作を行う必要があるが、その操作に不慣れな利用者にとっては、どのような順序でどのような操作を行えばよいかが分からず、操作に戸惑ったり、その設定を間違えたりして、他のコピー待ちの利用者に迷惑をかけることもあった。
【０００５】
本発明の課題は、複雑な操作を行うことなく直感的な操作によって所望する印刷を容易に実現できるようにすることである。
【課題を解決するための手段】
【０００６】
請求項１は、印刷データを受信して印刷する印刷装置と、前記印刷装置に印刷データを送信する携帯端末装置とを備えたデータ印刷システムであって、 前記印刷装置の配置面上に配置された前記携帯端末装置の形体又は位置又は配置回数を配置状態として判別する状態判別手段と、 前記状態判別手段によって判別された配置状態に応じて印刷制御情報を決定する決定手段と、 前記携帯端末装置から印刷データを受信して印刷する場合に、前記決定手段によって決定された印刷制御情報にしたがって当該印刷データの印刷を制御する印刷手段と、を備えることを特徴とする。
請求項５は、印刷データを受信して印刷する印刷装置と、この印刷装置に印刷データを送信する携帯端末装置とを備えたデータ印刷システムであって、前記印刷装置は、当該印刷装置に配置されている前記携帯端末装置の配置状態を判別する状態判別手段と、 前記状態判別手段によって判別された配置状態に応じて印刷制御情報を決定する決定手段と、 前記携帯端末装置から印刷データを受信して印刷する場合に、前記決定手段によって決定された印刷制御情報にしたがって当該印刷データの印刷を制御する印刷手段と、 を備えることを特徴とする。
【発明の効果】
【０００７】
本発明によれば、複雑な操作を行うことなく直感的な操作によって所望する印刷を容易に実現することができ、利便性の高いものとなる。
【図面の簡単な説明】
【０００８】
【図１】印刷データを受信して印刷する印刷装置と、この印刷装置に印刷データを送信する携帯端末装置とを備えデータ印刷システムを説明するための図。
【図２】携帯端末装置１の基本的な構成要素を示したブロック図。
【図３】印刷装置（コピー機）２の基本的な構成要素を示したブロック図。
【図４】コピー機２の配置検出部２７ａの構成を説明するための図。
【図５】携帯端末装置１側の全体動作のうち、印刷モードに切り換えられた際に実行開始される本実施形態の特徴部分の動作概要を示したフローチャート。
【図６】コピー機２の全体動作の概要を示したフローチャート。
【図７】図６の動作に続くフローチャート。
【図８】携帯端末装置１の配置状態を判定する処理（図６のステップＢ５）を詳述するためのフローチャート。
【図９】（１）、（２）は、携帯端末装置１の配置状態に基づいて印刷書式を決定する場合を説明ための図。
【図１０】（１）、（２）は、第１実施形態の応用例を説明するための図。
【図１１】第２実施形態を説明するための書式テーブルＦＴを示した図。
【図１２】第２実施形態における配置状態判定処理（図６のステップＢ５）を詳述するためのフローチャート。
【図１３】第２実施形態の応用例を説明するための図。
【図１４】（１）〜（４）は、第２実施形態の他の応用例を説明するための図。
【図１５】第３実施形態において、携帯端末装置１側の全体動作のうち、印刷モードに切り換えられた際に実行開始される本実施形態の特徴部分の動作概要を示したフローチャート。
【発明を実施するための形態】
【０００９】
以下、本発明の実施の形態について、図面を参照して詳細に説明する。
（実施形態１）
先ず、図１〜図９を参照して本発明の第１実施形態を説明する。
図１は、印刷データを受信して印刷する印刷装置と、この印刷装置に印刷データを送信する携帯端末装置とを備えデータ印刷システムを説明するための図である。
このデータ印刷システムにおいては、携帯端末装置１と印刷装置（コピー機）２との間で近距離通信を介してデータの送受信が可能となっている。携帯端末装置１は、スマートフォンと呼ばれる多機能型携帯電話機であり、通話機能、電子メール機能、インターネット接続機能などの基本機能のほか、印刷装置（コピー機）２との間で使用されるコピー機能及び近距離通信機能を備えている。コピー機能は、ユーザ操作により印刷対象として任意に選択された印刷データを近距離通信機能を経由して印刷装置（コピー機）２に送信することにより印刷出力させるための機能である。
【００１０】
コピー機２は、コンビニエンスストアや学校構内などに設置され、カラーコピー機能、ＦＡＸ機能、拡大印刷機能などが集約されている複合型の印刷装置であり、その上面部には、携帯端末装置１が配置される配置面（配置台）２ａが設けられており、この配置台２ａに携帯端末装置１が配置されている状態において、携帯端末装置１から受信した印刷データを印刷するようにしている。その際、コピー機２は、その配置台２ａに携帯端末装置１が配置されたことを判別すると、携帯端末装置１から印刷データを受信取得して印刷するようにしている。
【００１１】
専用アプリケーション２ｂは、携帯端末装置１が配置されている配置状態を検出してその配置状態に応じて印刷制御情報（本実施形態では印刷書式）を決定し、携帯端末装置１から受信取得した印刷データをその印刷制御情報（印刷書式）にしたがって印刷する一連の動作を制御する携帯端末専用の印刷機能である。すなわち、コピー機２は、その配置台２ａに携帯端末装置１が配置されると、専用アプリケーション２ｂを起動させ、携帯端末装置１の配置状態（例えば、後述する縦置き配置か横置き配置か）を検出して、この配置状態に応じて印刷書式（例えば、印刷方向として縦方向への印刷、横方向への印刷）を決定し、携帯端末装置１から受信した印刷データをその印刷書式にしたがって印刷を行うようにしている。
【００１２】
図２は、携帯端末装置１の基本的な構成要素を示したブロック図である。
ＣＰＵ１１は、二次電池（図示省略）を備えた電源部１２からの電力供給によって動作し、記憶部１３内の各種のプログラムに応じてこの携帯端末装置１の全体動作を制御する中央演算処理装置である。記憶部１３には、プログラムメモリ１３ａ、ワークメモリ１３ｂなどが設けられている。プログラムメモリ１３ａは、図５に示した動作手順に応じて本実施形態を実現するためのプログラムや各種のアプリケーションなどが格納されているほか、それに必要とする情報などが記憶されている。
【００１３】
記憶部１３内のワークメモリ１３ｂは、携帯端末装置１が動作するために必要となる各種の情報（例えば、フラグ、タイマなど）を一時的に記憶するワーク領域である。なお、記憶部１３は、例えば、ＳＤカード、ＩＣカードなど、着脱自在な可搬型メモリ（記録メディア）を含む構成であってもよく、また、その一部が図示しない所定の外部サーバの領域を含むものであってもよい。無線通信部１４は、音声通話機能、電子メール機能、インターネット接続機能時に使用される広域通信部であり、通話機能の動作時には音声信号処理部１５を介して通話用スピーカＳＰから音声出力させ、また、通話用マイクＭＣからの入力音声データを音声処理部１５から取り込んでアンテナから発信出力させる。
【００１４】
タッチ入力表示部１６は、表示パネルとタッチパネルを有する構成で、ソフトウェアキー（タッチキー）を割り当て配置してその機能名を表示したり、指などによるタッチ操作を感知してそのタッチ操作に応じたデータを入力したりするデバイスである。このタッチ入力表示部１６には、印刷データを近距離通信機能を経由してコピー機２に送信して印刷させる動作モード（印刷モード）に切り換えるモードキー（図示省略）と、この印刷モードに切り換えられている状態において、印刷開始をコピー機２に対して指示する印刷開始キー（図示省略）などを有している。近距離無線通信部１７は、高速大容量の通信が可能なもので、例えば、非接触型ＩＣカードあるいは無線ＬＡＮ（Local Area
Network）モジュールを使用し、テキストデータや画像データなどを印刷データとしてコピー機２に送信する。加速度センサ１８は、歩数計機能の振動検出部を構成したり、携帯端末装置１の筐体（装置本体）の姿勢を検出する姿勢検出部を構成したりするもので、その詳細については後で詳述するものとする。
【００１５】
図３は、コピー機２の基本的な構成要素を示したブロック図である。
ＣＰＵ２１は、ＡＣ電源部（図示省略）からの電力供給によって動作し、記憶部２２内の各種のプログラムに応じてこのコピー機２の全体動作を制御する中央演算処理装置である。記憶部２２には、プログラムメモリ２２ａ、画像メモリ２２ｂなどが設けられている。プログラムメモリ２２ａは、図６〜図８に示した動作手順に応じて本実施形態を実現するためのプログラムや各種のアプリケーションなどが格納されているほか、それに必要とする情報などが記憶されている。画像メモリ２２ｂは、原稿読取部２３によって読み取られた原稿の画像イメージ（画像データ）を一時記憶するメモリである。なお、記憶部２２は、例えば、ＳＤカード、ＩＣカードなど、着脱自在な可搬型メモリ（記録メディア）を含む構成であってもよく、また、その一部が図示しない所定の外部サーバの領域を含むものであってもよい。
【００１６】
操作部２４は、図示省略したが、印刷開始を指示するキーや各種の印刷書式を指定するキーなどを有し、ＣＰＵ２１は、操作部２４から入力された操作信号にしたがって印刷制御を行う。すなわち、ＣＰＵ２１は、操作部２４から入力された印刷書式をユーザ確認用として表示部２５に表示させたり、画像メモリ２２ｂに記憶されている原稿の画像イメージ（画像データ）をプリンタ機構部２６に送り、操作部２４から任意に入力指定された印刷書式にしたがって画像データを印刷出力させたりする。プリンタ機構部２６には、サイズの異なる複数の用紙を給紙するトレイ（図示省略）を有している。
【００１７】
端末配置部２７は、上述した配置台２ａを有するほか、配置検出部２７ａ及び近距離無線通信部２７ｂを有する構成で、配置検出部２７ａは、配置台２ａに配置された携帯端末装置１の配置状態を光学的に検出するもので、ＣＰＵ２１は、この配置検出部２７ａによって検出された携帯端末装置１の配置状態に応じて印刷書式を決定するようにしている。近距離無線通信部２７ｂは、携帯端末装置１側に設けられている近距離無線通信部１７に対応する無線通信部であり、携帯端末装置１との間で近距離通信を行う。
【００１８】
図４は、コピー機２の配置検出部２７ａの構成を説明するための図である。
配置検出部２７ａは、矩形（長方形）の配置台２ａの周辺に、例えば、赤外線を発光する発光部ＥＬ１〜ＥＬ４、ＥＣ１〜ＥＣ４と、その光を受光する受光部ＲＬ１〜ＲＬ４、ＲＣ１〜ＲＣ４を配置した構成となっている。すなわち、長方形の配置台２ａの縦方向（短辺方向）の一辺部には、発光部ＥＬ１〜ＥＬ４が一列に等間隔配置され、また、横方向（長辺方向）の一辺部には、発光部ＥＣ１〜ＥＣ４が一列に等間隔配置されている。また、配置台２ａの縦方向（短辺方向）の他辺部には、発光部ＥＬ１〜ＥＬ４に対向して受光部ＲＬ１〜ＲＬ４が一列に等間隔配置され、また、横方向（長辺方向）の他辺部には、受光部ＲＣ１〜ＲＣ４が一列に等間隔配置されている。
【００１９】
携帯端末装置１の装置本体（筐体）の全体は、薄板状の直方体を成し、コピー機２の配置台２ａに対して携帯端末装置１が配置された際に、その装置本体（筐体）が縦長となるように配置した場合を“縦置き”、また、横長となるように配置した場合を“横置き”と称すると、図４（１）は、配置台２ａに対して携帯端末装置１を縦置きに配置した場合を示し、図４（２）は、携帯端末装置１を横置きに配置した場合を示している。このように携帯端末装置１を縦置き配置するか横置き配置するかに応じて、受光部ＲＬ１〜ＲＬ４、ＲＣ１〜ＲＣ４のＯＮ（オン）／ＯＦＦ（オフ）の状態が変化するようになる。
【００２０】
すなわち、配置台２ａの縦方向（短辺方向）に配設されている受光部ＲＬ１〜ＲＬ４は、対応する発光部ＥＬ１〜ＥＬ４からの光を受光した際に、その出力信号がハイレベルとなるＯＮ状態となり、光が携帯端末装置１によって遮断された際に、その出力信号がローレベルとなるＯＦＦ状態となる。同様に、配置台２ａの横方向（長辺方向）に配設されている受光部ＲＬ１〜ＲＬ４は、対応する発光部ＥＬ１〜ＥＬ４からの光を受光した際に、その出力信号がハイレベルとなるＯＮ状態となり、光が携帯端末装置１によって遮断された際に、その出力信号がローレベルとなるＯＦＦ状態となる。
【００２１】
次に、第１実施形態における携帯端末装置１及びコピー機２の動作概念を図５〜図８に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用して本実施形態特有の動作を実行することもできる。
【００２２】
図５は、携帯端末装置１側の全体動作のうち、印刷モードに切り換えられた際に実行開始される本実施形態の特徴部分の動作概要を示したフローチャートであり、この図５のフローから抜けた際には、全体動作のメインフロー（図示省略）に戻る。ここで、ユーザは、コンビニエンスストアなどのコピー機２を利用する際に、上述したモードキーを操作することにより印刷モードに切り換えると共に、この印刷モードに切り換えられた状態において、データ一覧画面を表示させる操作を行った後、その一覧画面の中から任意のデータを印刷対象のデータとして選択する操作を行う。
【００２３】
携帯端末装置１のＣＰＵ１１は、データ一覧画面の中から任意のデータを選択する操作が行われると（ステップＡ１）、そのデータをタッチ入力表示部１６の画面全体に表示させる（ステップＡ２）。ここで、印刷対象のデータ（印刷データ）を確認したユーザは、どのような印刷を所望するかに応じてその配置の向きを考慮しながら携帯端末装置１をコピー機２の配置台２ａに配置する。コピー機２は、携帯端末装置１の配置を検出すると、携帯端末装置１に対して印刷データの送信を要求する。
【００２４】
携帯端末装置１は、コピー機２からデータの送信要求を受信すると（ステップＡ３でＹＥＳ）、タッチ入力表示部１６に表示されている印刷データをコピー機２に送信する処理（ステップＡ４）を行った後、印刷開始の指示操作待ちとなる（ステップＡ５）。ここで、印刷開始を指示する操作が行われると（ステップＡ５でＹＥＳ）、コピー機２に対して印刷開始指示を送信する（ステップＡ６）。そして、印刷モードを解除する操作が行われたかを調べ（ステップＡ７）、印刷モードが解除されるまで（ステップＡ７でＮＯ）、上述のステップＡ１に戻る。この場合、印刷対象として次のデータが選択されると、以下、上述の動作を繰り返す。
【００２５】
図６及び図７は、コピー機２の全体動作の概要を示したフローチャートである。
先ず、コピー機２のＣＰＵ２１は、携帯端末装置１が端末配置部２７に配置されているかを調べたり（図６のステップＢ１）、操作部２４上で何らかの操作が行われたかを調べたりする（ステップＢ２）。この場合、携帯端末装置１が端末配置部２７に配置されたか否かの判別は、配置検出部２７ａを構成する受光部ＲＬ１〜ＲＬ４、ＲＣ１〜ＲＣ４のいずれか一つでも“ＯＮ”状態であるか否かに基づいて行うようにしている。
【００２６】
いま、何らかの操作が行われたときには（ステップＢ２でＹＥＳ）、操作に応じた処理を行う（ステップＢ３）。例えば、操作部２４から印刷書式が入力されたのち印刷開始を指示する操作が行われると（ステップＢ２でＹＥＳ）、原稿読取部２３によって読み取られた原稿の画像イメージ（画像データ）を画像メモリ２２ｂに一時記憶した後、入力された印刷書式にしたがって画像データをプリンタ機構部２６から印刷出力させる（ステップＢ３）。一方、携帯端末装置１が端末配置部２７に配置されたことを検出したときには（ステップＢ１でＹＥＳ）、配置検出部２７ａの受光状態（検出結果）を取得し（ステップＢ４）、その受光状態に応じて携帯端末装置１の配置状態を判定する処理に移る（ステップＢ５）。
【００２７】
図８は、携帯端末装置１の配置状態を判定する処理（図６のステップＢ５）を詳述するためのフローチャートである。
先ず、コピー機２のＣＰＵ２１は、配置検出部２７ａを構成する受光部ＲＬ１〜ＲＬ４の全てが“ＯＦＦ”状態であるかを調べ（ステップＢ５１）、受光部ＲＬ１〜ＲＬ４の全てが“ＯＦＦ”状態で、対応する発光部ＥＬ１〜ＥＬ４からの光が携帯端末装置１によって全て遮断されている場合には（ステップＢ５１でＹＥＳ）、ステップＢ５２に移り、受光部ＲＣ１〜ＲＣ４のいずれか一つでも“ＯＮ”状態であるかを調べる。
【００２８】
ここで、受光部ＲＬ１〜ＲＬ４の全てが“ＯＦＦ”状態ではない場合（ステップＢ５１でＮＯ）あるいは受光部ＲＣ１〜ＲＣ４のいずれか一つでも“ＯＮ”ではない場合には（ステップＢ５２でＮＯ）、次のステップＢ５４に移るが、受光部ＲＬ１〜ＲＬ４の全てが“ＯＦＦ”状態である場合において（ステップＢ５１でＹＥＳ）、受光部ＲＣ１〜ＲＣ４のいずれか一つでも“ＯＮ”状態であれば（ステップＢ５２でＹＥＳ）、携帯端末装置１は、図４（１）に示すように縦置きに配置されている状態であると判定する（ステップＢ５３）。
【００２９】
一方、縦置き配置でなければ（ステップＢ５１あるいはステップＢ５５２でＮＯ）、受光部ＲＣ１〜ＲＣ４の全てが“ＯＦＦ”状態であるかを調べる（ステップＢ５４）。いま、受光部ＲＣ１〜ＲＣ４の全てが“ＯＦＦ”状態で、対応する発光部ＥＣ１〜ＥＣ４からの光が携帯端末装置１によって全て遮断されている場合には（ステップＢ５４でＹＥＳ）、受光部ＲＬ１〜ＲＬ４のいずれか一つでも“ＯＮ”状態であるかを調べる（ステップＢ５５）。ここで、受光部ＲＣ１〜ＲＣ４の全てが“ＯＦＦ”状態でない場合（ステップＢ５４でＮＯ）あるいは受光部ＲＬ１〜ＲＬ４のいずれか一つでも“ＯＮ”状態でない場合には（ステップＢ５５でＮＯ）、配置状態を判定することができないものとして判定不能となる（ステップＢ５７）。他方、受光部ＲＣ１〜ＲＣ４の全てが“ＯＦＦ”状態である場合に（ステップＢ５４でＹＥＳ）、受光部ＲＬ１〜ＲＬ４のいずれか一つでも“ＯＮ”
状態であれば（ステップＢ５５でＹＥＳ）、携帯端末装置１は、図４（２）に示すように横置きに配置されている状態であると判定する（ステップＢ５６）。
【００３０】
このような配置状態判定処理（図６のステップＢ５）が終わると、その結果は判定不能であるかを調べ（ステップＢ６）、判定不能であれば（ステップＢ６でＹＥＳ）、所定の配置状態でないことをユーザに促すために配置エラーメッセージを表示（ステップＢ７）させた後、最初のステップＢ１に戻る。また、判定不能でなければ（ステップＢ６でＮＯ）、その判定結果に基づいて印刷書式を決定する（ステップＢ８）。図９は、携帯端末装置１の配置状態に基づいて印刷書式を決定する場合を説明するための図である。図９（１）は、携帯端末装置１の配置状態が縦置きの場合の印刷書式を示し、この縦置き配置の場合には、用紙の短辺方向に対して直交する方向に印刷する縦方向印刷が印刷書式として決定される。図９（２）は、携帯端末装置１の配置状態が横置きの場合の印刷書式を示し、この横置き配置の場合には、用紙の短辺方向に対して平行する方向に印刷する横方向印刷が印刷書式として決定される。
【００３１】
このようにして携帯端末装置１の配置状態に応じて印刷書式を決定する処理を行うと、図７のフローに移り、携帯端末装置１に対して印刷データの送信を要求する（ステップＢ９）。この要求に応答して携帯端末装置１から印刷データを受信すると（ステップＢ１０）、携帯端末装置１から印刷開始が指示されたかを調べたり（ステップＢ１１）、印刷の中止を指示する操作が行われたかを調べたりする（ステップＢ１２）。ここで、操作部２４から印刷の中止が指示されると（ステップＢ１２）、携帯端末装置１から受信した印刷データと、上述のようにして決定した印刷書式を削除する処理（ステップＢ１５）を行った後、図６のステップＢ１に戻る。
【００３２】
また、携帯端末装置１から印刷開始の指示を受信したときには（ステップＢ１１でＹＥＳ）、プリンタ機構部２６を起動させ、携帯端末装置１から受信した印刷データを上述の印刷書式にしたがって印刷する動作を開始させる（ステップＢ１３）。この場合、印刷書式（縦方向印刷、横方向印刷）に応じて図９（１）に示すような縦方向印刷あるいは図９（２）に示す横方向印刷が行われる。ここで、印刷が終了すると（ステップＢ１４でＹＥＳ）、印刷データ及び印刷書式を削除する処理（ステップＢ１５）を行った後、図６のステップＢ１に戻る。
【００３３】
以上のように、第１実施形態においては、コピー機２に配置されている携帯端末装置１の配置状態を検出して、この配置状態に応じて印刷書式を決定し、携帯端末装置１から受信した印刷データを印刷書式にしたがって印刷するようにしたので、複雑な書式設定操作を行うことなく、携帯端末装置１をコピー機２に配置するという直感的な操作で所望する印刷を容易に実現することができ、利便性の高いものとなる。
【００３４】
コピー機２は、その配置面（配置台）２ａに配置された携帯端末装置１の向きを配置状態として検出するようにしたので、コピー機２の利用者にあっては、携帯端末装置１の配置向きを変えるだけで所望する印刷書式を指定することができる。
【００３５】
コピー機２は、携帯端末装置１の向きとして横向きか縦向きかを配置状態として検出し、横向き配置であれば、横方向への印刷を示す印刷書式を決定し、配置状態が縦向き配置であれば、縦方向への印刷を示す印刷書式を決定するようにしたので、印刷方向と配置向きとを対応させることができ、利用者にとって分かり易いものとなる。この場合、携帯端末装置１に印刷対象のデータを表示させたままの状態でコピー機２に配置するようにすれば、利用者にとっては、実際に印刷される様子をイメージすることが可能となる。
【００３６】
なお、上述した第１実施形態において、配置状態を検出する手段として、発光部や受講部を用いて行ったが、これに限らず配置状態を検出できれば他の手段で行ってもよい。
なお、上述した第１実施形態においてコピー機２は、携帯端末装置１が配置された際に横向きか縦向きかを配置状態として検出し、横向き配置であれば、横方向への印刷を示す印刷書式を決定し、配置状態が縦向き配置であれば、縦方向への印刷を示す印刷書式を決定するようにしたが、携帯端末装置１の配置状態としては、配置向きに限らず、携帯端末装置１が配置された位置であってもよい。
【００３７】
また、コピー機２は、図１０に示すように携帯端末装置１が配置されているときの形体を検出し、この携帯端末装置１の形体と相似形の領域を印刷範囲とする印刷書式を決定して印刷するようにしてもよい。なお、携帯端末装置１が配置されているときの形体を検出する手段としては、例えば、配置台２ａの上面にタッチパネル（図示省略）を配設して携帯端末装置１の接触状態からその形体を検出したり、配置台２ａの下側に撮像素子（図示省略）を配設して携帯端末装置１を撮像することによりその形体を検出したりするようにしてもよい。
【００３８】
すなわち、図１０（１）に示すように配置台２ａの中央部分に携帯端末装置１を縦置き配置すると、用紙の中央部分の縦長領域（携帯端末装置１の形体と相似形の領域）を印刷範囲とする印刷書式が決定される。図１０（２）は、配置台２ａの中央部分に携帯端末装置１を斜め４５°に傾けて配置すると、用紙の中央部分の斜め縦長領域（携帯端末装置１の形体と相似形の領域）を印刷範囲とする印刷書式が決定される。このように携帯端末装置１を配置した状態のままの形体で用紙上にデータを印刷することができる。
【００３９】
（第２実施形態）
以下、この発明の第２実施形態について図１１及び図１２を参照して説明する。
なお、上述した第１実施形態においてコピー機２は、携帯端末装置１の配置状態として１種類（配置向き）を検出して、一つの印刷書式を決定するようにしたが、この第２実施形態においては、携帯端末装置１の配置状態として配置向きと配置位置の２種類を同時に検出すると共に、検出した複数の配置状態の個々に対応した印刷書式をそれぞれ決定するようにしたものである。ここで、両実施形態において基本的あるいは名称的に同一のものは、同一符号を付して示し、その説明を省略すると共に、以下、第２実施形態の特徴部分を中心に説明するものとする。
【００４０】
図１１は、第２実施形態を説明するための書式テーブルＦＴを示した図である。
書式テーブルＦＴは、携帯端末装置１の配置状態に応じて決定される印刷書式を記憶するテーブルで、「配置状態」、「印刷方向」、「用紙サイズ」の各項目を有している。「配置状態」は、携帯端末装置１の配置向きと配置位置との組み合わせ、すなわち、“縦置き左寄り配置”、“縦置き中央配置”、“縦置き右寄り配置”、“横置き上寄り配置”、“横置き中央配置”、“横置き下寄り配置”を示している。「印刷方向」は、用紙の短辺方向に対して直交する方向に印刷する“縦方向”と、用紙の短辺方向に対して平行する方向に印刷する“横方向”を示している。「用紙サイズ」は、Ｂ５、Ａ４、Ｂ４などのサイズ、あるいは写真サイズのＥ版、Ｌ版、ＬＬ版などである。
【００４１】
図１２は、第２実施形態における配置状態判定処理（図６のステップＢ）を詳述するためのフローチャートである。なお、第２実施形態においても、図５及び図９のフローチャートとは基本的に同様であるが、第２実施形態では図８に代わって図１２のフローチャートが用いられる。
先ず、コピー機２のＣＰＵ２１は、配置検出部２７ａを構成する受光部ＲＬ１〜ＲＬ４の全てが“ＯＦＦ”状態であるかを調べる（ステップＢ５０１）。ここで、受光部ＲＬ１〜ＲＬ４の全てが“ＯＦＦ”状態で、対応する発光部ＥＬ１〜ＥＬ４からの光が携帯端末装置１によって全て遮断されている場合に（ステップＢ５０１でＹＥＳ）、受光部ＲＣ１及びＲＣ１が“ＯＦＦ”状態で、かつ受光部ＲＣ３及びＲＣ４が“ＯＮ”状態であれば（ステップＢ５０２でＹＥＳ）、“縦置き左寄り配置”であると判定する（ステップＢ５０３）。
【００４２】
また、受光部ＲＬ１〜ＲＬ４の全てが“ＯＦＦ”状態の場合に（ステップＢ５０１でＹＥＳ）、受光部ＲＣ２及びＲＣ３が“ＯＦＦ”状態で、かつ受光部ＲＣ１及びＲＣ４が“ＯＮ”状態であれば（ステップＢ５０４でＹＥＳ）、“縦置き中央配置”であると判定する（ステップＢ５０５）。更に、受光部ＲＬ１〜ＲＬ４の全てが“ＯＦＦ”状態の場合に（ステップＢ５０１でＹＥＳ）、受光部ＲＣ３及びＲＣ４が“ＯＦＦ”状態で、かつ受光部ＲＣ１及びＲＣ２が“ＯＮ”状態であれば（ステップＢ５０６でＹＥＳ）、“縦置き右寄り配置”であると判定する（ステップＢ５０７）。なお、上述のいずれの条件にも該当していなければ（ステップＢ５０６でＮＯ）、判定不能となり（ステップＢ５１５）、図１２のフローから抜ける。
【００４３】
一方、縦置き配置ではない場合には（ステップＢ５０１でＮＯ）、受光部ＲＣ１〜ＲＣ４の全てが“ＯＦＦ”状態であるかを調べる（ステップＢ５０８）。ここで、受光部ＲＣ１〜ＲＣ４の全てが“ＯＦＦ”状態で、対応する発光部ＥＣ１〜ＥＣ４からの光が携帯端末装置１によって全て遮断されている場合に（ステップＢ５０８でＹＥＳ）、受光部ＲＬ１及びＲＬ１が“ＯＦＦ”状態で、かつ受光部ＲＬ３及びＲＬ４が“ＯＮ”状態であれば（ステップＢ５０９でＹＥＳ）、“横置き上寄り配置”であると判定する（ステップＢ５１０）。
【００４４】
また、受光部ＲＣ１〜ＲＣ４の全てが“ＯＦＦ”状態の場合に（ステップＢ５０８でＹＥＳ）、受光部ＲＬ１及びＲＬ３が“ＯＦＦ”状態で、かつ受光部ＲＬ１及びＲＬ４が“ＯＮ”状態であれば（ステップＢ５１２でＹＥＳ）、“横置き中央配置”であると判定する（ステップＢ５１２）。更に、受光部ＲＣ１〜ＲＣ４の全てが“ＯＦＦ”状態の場合に（ステップＢ５０８でＹＥＳ）、受光部ＲＬ３及びＲＬ４が“ＯＦＦ”状態で、かつ受光部ＲＬ１及びＲＬ２が“ＯＮ”状態であれば（ステップＢ５１３でＹＥＳ）、“横置き下寄り配置”であると判定する（ステップＢ５１４）。なお、上述のいずれの条件も該当していなければ（ステップＢ５１３でＮＯ）、判定不能となり（ステップＢ５１５）、図１２のフローから抜ける。
【００４５】
このようにして決定された携帯端末装置１の配置状態（配置向きと配置位置との組み合わせ）に基づいて書式テーブルＦＴを参照し、該当する印刷書式を設定する。例えば、携帯端末装置１の配置状態が“縦置き左寄り配置”であれば、印刷方向が“縦方向”、用紙サイズが“Ｂ５サイズ／Ｅ版”となり、“縦置き中央配置”であれば、印刷方向が“縦方向”、用紙サイズが“Ａ４サイズ／Ｌ版”となり、“縦置き右寄り配置”であれば、印刷方向が“縦方向”、用紙サイズが“Ｂ４サイズ／ＬＬ版”となる。また、“横置き上寄り配置”であれば、印刷方向が“横方向”、用紙サイズが“Ｂ５サイズ／Ｅ版”となり、“横置き中央配置”であれば、印刷方向が“横方向”、用紙サイズが“Ａ４サイズ／Ｌ版”となり、“横置き下寄り配置”であれば、印刷方向が“横方向”、用紙サイズが“Ｂ４サイズ／ＬＬ版”となる。これによって決定された複数の印刷書式にしたがって印刷データが印刷される。
【００４６】
以上のように、第２実施形態においてコピー機２は、携帯端末装置１の複数の配置状態を同時に検出すると共に、検出した複数の配置状態の個々に対応した印刷書式をそれぞれ決定するようにしたので、携帯端末装置１をコピー機２に配置するだけで複数の印刷書式を一度に決定することができ、ユーザにあっては複雑な書式設定操作を行うことなく、所望する印刷を容易に実現することができる。
【００４７】
携帯端末装置１の配置状態としてその配置位置を検出するようにしたので、ユーザにあっては配置位置を変えるだけで印刷書式を指定することができる。
【００４８】
携帯端末装置１の位置に応じて用紙サイズを示す印刷書式を決定するようにしたので、携帯端末装置１の位置と用紙サイズとを対応付けておけば、位置に応じて用紙サイズをイメージすることができる。
【００４９】
なお、上述した第２実施形態において、携帯端末装置１の位置を左右方向あるいは上下方向に変えることにより用紙サイズを指定するようにしたが、図１３に示すように、配置台２ａ上に用紙サイズと相似形の位置に罫線などの目印（ガイド）を形成しておき、この目印（ガイド）に沿うように携帯端末装置１の位置を斜め方向に変えることにより用紙サイズを指定するようにしてもよい。
【００５０】
また、上述した第２実施形態においては、携帯端末装置１の配置状態（配置向きと配置位置との組み合わせ）に基づいて印刷方向及び用紙サイズを指定するようにしたが、印刷書式としては、これに限らず、例えば、図１４に示すように、マルチ印刷を指定するようにしてもよい。この場合、コピー機２の配置台２ａに配置された携帯端末装置１の配置回数を配置状態として検出し、この配置回数に基づいて印刷書式を決定する際に、同一用紙上を複数の領域に分割して印刷する分割領域数を示す印刷書式を決定することによりマルチ印刷を指定するようにしてもよい。
【００５１】
例えば、図１４は、携帯端末装置１の配置状態に応じた印刷書式としてマルチ印刷を指定した場合を説明するための図である。なお、図中、（Ｃ１）〜（Ｃ４）は、マルチ印刷を指定するために携帯端末装置１を複数回配置した際の配置回数を示し、（Ｃ１）は１回目、（Ｃ２）は２回目、（Ｃ３）は３回目、（Ｃ４）は４回目の配置を示している。また、（Ｐ１）〜（Ｐ４）は、マルチ印刷が指定された場合の印刷回数を示し、（Ｐ１）は１回目、（Ｐ２）は２回目、（Ｐ３）は３回目、（Ｐ４）は４回目の印刷を示している。
【００５２】
図１４（１）、（２）は、用紙の左右の領域にそれぞれ異なるデータ（例えば、異なるページのデータ）を振り分けて印刷する場合を示した図である。すなわち、図１４（１）に示すように、１回目の配置（Ｃ１）として携帯端末装置１が縦置き左寄り配置されると、用紙の左半分領域への印刷（Ｐ１）を行い、その後、２回目の配置として（Ｃ２）として携帯端末装置１を縦置き右寄り配置されると、用紙の右半分領域への印刷（Ｐ２）を行う。同様に、図１４（２）に示すように、１回目の配置として（Ｃ１）として縦置き右寄り配置されると、用紙の右半分領域への印刷（Ｐ１）を行い、その後、２回目の配置として（Ｃ２）として縦置き左寄り配置されると、用紙の左半分領域への印刷（Ｐ２）を行う。
【００５３】
図１４（３）は、用紙の上下の領域にそれぞれ異なるデータ（例えば、異なるページのデータ）を振り分けて印刷する場合を示した図で、図１４（３）に示すように、１回目の配置（Ｃ１）として横置き上寄り配置されると、用紙の上半分領域への印刷（Ｐ１）を行い、２回目の配置として（Ｃ２）として横置き下寄り配置されると、用紙の下半分領域への印刷（Ｐ２）を行う。図１４（４）は、用紙の左右上下の各領域にそれぞれ異なるデータ（例えば、異なるページのデータ）を振り分けて印刷する場合を示した図で、１回目の配置（Ｃ１）として横置きで上寄り及び左寄りに配置されると、用紙の左上領域への印刷（Ｐ１）を行い、２回目の配置として（Ｃ２）として横置きで上寄り及び右寄りに配置されると、用紙の右上領域への印刷（Ｐ２）を行い、３回目の配置として（Ｃ３）として横置きで下寄り及び左寄りに配置されると、用紙の左下領域への印刷（Ｐ３）を行い、４回目の配置として（Ｃ４）として横置きで下寄り及び右寄りに配置されると、用紙の右下領域への印刷（Ｐ４）を行う。
【００５４】
このようにコピー機２の配置台２ａに配置された携帯端末装置１の配置回数を配置状態として検出し、この配置回数に基づいて同一用紙上を複数の領域に分割して印刷する分割領域数を示す印刷書式を決定し、この印刷書式にしたがって印刷する際に、同一用紙上を分割領域数に応じて分割した各分割領域内に異なるデータを割り当てながら領域毎に印刷を行うことにより携帯端末装置１を複数回配置するだけでマルチ印刷を行うことが可能となる。
【００５５】
（第３実施形態）
以下、この発明の第３実施形態について図１５を参照して説明する。
なお、上述した第１実施形態においては、携帯端末装置１の配置状態をコピー機２が検出するようにしたが、この第２実施形態においては、携帯端末装置１の配置状態を携帯端末装置１自身で検出するようにしたものである。ここで、第１・第３実施形態において基本的あるいは名称的に同一のものは、同一符号を付して示し、その説明を省略すると共に、以下、第３実施形態の特徴部分を中心に説明するものとする。
【００５６】
第３実施形態においては、携帯端末装置１の配置状態を携帯端末装置１自身で検出するために、加速度センサ１８を使用するようにしている。この加速度センサ１８は、歩数計機能の振動検出部を構成するほか、携帯端末装置１の筐体（装置本体）の姿勢を検出する姿勢検出部を構成するもので、筐体（直方体の）の長辺方向（縦方向）をＹ軸方向、その短辺方向（横方向）をＸ軸方向とし、更に、その厚み方向をＺ軸方向とすると、互いに直交する３軸方向（Ｘ・Ｙ・Ｚ方向）の加速度成分を検出し、この各軸の加速度データを垂直方向の方向情報として出力するほか、地磁気センサを備え、この地磁気センサによって水平方向の方向情報を検出して出力する構成となっている。すなわち、加速度センサ１８は、地磁気センサ付の３軸加速度センサで、携帯端末装置１の筐体（装置本体）の姿勢（向きと傾き）として水平方向の方向情報と共に垂直方向の方向情報を検出可能な構成となっている。
【００５７】
図１５は、第３実施形態において、携帯端末装置１側の全体動作のうち、印刷モードに切り換えられた際に実行開始される本実施形態の特徴部分の動作概要を示したフローチャートであり、この図１５のフローから抜けた際には、全体動作のメインフロー（図示省略）に戻る。ここで、ユーザは、コピー機２を利用する際に、上述のモードキーを操作して印刷モードに切り換えると共に、この印刷モードに切り換えられた状態において、データ一覧画面を表示させる操作を行った後、その一覧画面の中から任意のデータを印刷対象のデータとして選択する操作を行う。
【００５８】
携帯端末装置１のＣＰＵ１１は、一覧画面の中から任意のデータを選択する操作が行われると（ステップＡ１１）、その印刷データをタッチ入力表示部１６の画面全体に表示させる（ステップＡ１２）。ここで、印刷データを確認したユーザは、どのような印刷を所望するかに応じてその配置の向きを考慮しながら携帯端末装置１をコピー機２の配置台２ａに配置する。この場合、携帯端末装置１が略水平状態となるように配置すると共に、そのタッチ入力表示部１６が上を向くように配置する。ＣＰＵ１１は、加速度センサ１８の検出結果を取得して（ステップＡ１３）、コピー機２の配置台２ａに配置されたかを調べる（ステップＡ１４）。この場合、印刷データが選択された後、加速度センサ１８からの垂直方向の方向情報に基づいて携帯端末装置１が略水平状態となるように配置されたか否かを判別すると共に、タッチ入力表示部１６が上を向くように配置されたか否かを判別することによりコピー機２に携帯端末装置１が正しく配置されたか否かを判別するようにしている。
【００５９】
ここで、携帯端末装置１が略水平状態で、かつタッチ入力表示部１６が上を向くように配置された場合には、コピー機２に正しく配置されたと判断して（ステップＡ１４でＹＥＳ）、次のステップＡ１５に移り、設定状態判定処理に移る。この設定状態判定処理では、加速度センサ１８の検出結果（水平方向の方向情報）に基づいて携帯端末装置１の向きは、縦置き、横置き、それ以外であるかを調べる処理を行う。その結果、携帯端末装置１の向きが縦置き、横置き以外であるか、つまり、判定不能であるかを調べ（ステップＡ１６）、判定不能であれば（ステップＡ１６でＹＥＳ）、所定の配置状態でないことをユーザに促すために配置エラーメッセージを表示（ステップＡ１７）させた後、上述のステップＡ１３に戻る。
【００６０】
また、携帯端末装置１の向きが縦置きあるいは横置きであれば、つまり、判定不能でなければ（ステップＡ１６でＮＯ）、その向きに基づいて書式テーブル（図示省略）を参照し（ステップＡ１８）、該当する印刷書式を決定する（ステップＡ１９）。例えば、携帯端末装置１の配置状態が縦置きの場合には、用紙の短辺方向に対して直交する方向に印刷する縦方向印刷が印刷書式として決定し、また、横置きには、用紙の短辺方向に対して平行する方向に印刷する横方向印刷を印刷書式として決定する。
【００６１】
そして、印刷開始を指示する操作が行われたかを調べ（ステップＡ２０）、印刷開始が指示されるまで待機する。ここで、印刷開始が指示されたときには（ステップＡ２０でＹＥＳ）、コピー機２に対して印刷開始を指示する送信（ステップＡ２１）を行った後、ユーザ選択された印刷データと上述のようにして決定された印刷書式をコピー機２にそれぞれ送信する（ステップＡ２２）。その後、印刷モードを解除する操作が行われたかを調べ（ステップＡ２３）、印刷モードが解除されるまで、上述のステップＡ１１に戻り、以下、上述の動作を繰り返す。
【００６２】
他方、コピー機２側にあっては、携帯端末装置１から印刷開始の指示を受信すると、プリンタ機構部２６を起動させて待機状態となり、その後、携帯端末装置１からの印刷データ及び印刷書式を受信すると、この印刷データをその印刷書式にしたがって印刷する動作を開始する。
【００６３】
以上のように、第３実施形態において携帯端末装置１は、コピー機２に配置された配置状態を自身で検出してその配置状態に応じた印刷書式を決定すると共に、この印刷書式と印刷データをコピー機２に送信するようにしたので、コピー機２は携帯端末装置１からデータを受信して印刷を行えばよく、専用アプリケーションや専用の装置が用意されていなくても携帯端末装置１と連携した印刷が可能となる。
【００６４】
加速度センサ１８の検出結果に基づいて装置本体の姿勢を配置状態として検出するようにしたので、配置状態の検出が適切なものとなり、また、他の機能に利用されている加速度センサを併用することができる。
【００６５】
なお、上述した第３実施形態においては、配置状態を検出する手段として、地磁気センサを備えた加速度センサ１８を例示したが、コピー機２の配置台２ａを傾斜面とするようにすれば、地磁気センサは不要となる。また、携帯端末装置１をコピー機２に配置した際に、コピー機２側の発光部（図示省略）からの発光を受光する受光部（図示省略）を携帯端末装置１に配設し、その受光状態に応じて配置状態を検出するようにしてもよい。また、携帯端末装置１をコピー機２の配置台２ａに配置する際に、携帯端末装置１のタッチ入力表示部１６が配置台２ａに向くように配置することにより、配置台２ａに形成した凸部のタッチ状態を配置状態として検出するようにしてもよい。
また、配置台２ａは、必ずしも必要な構成ではなく、携帯端末装置１をコピー機２に近づけた際の携帯端末装置１の向きを配置状態として判別しても良い。
【００６６】
また、携帯端末装置１は、種類が異なる複数の配置状態を検出し、この複数の配置状態の個々に対応した印刷書式をそれぞれ決定するようにしてもよい。これによって携帯端末装置１をコピー機２に配置するだけで複数の印刷書式を一度に決定することができ、ユーザにあっては複雑な書式設定操作を行うことなく、所望する印刷を容易に実現することができる。
【００６７】
また、上述した各実施形態においては、印刷書式として印刷方向、印刷位置、用紙サイズに限らず、用紙の余白、文字サイズ、濃度、カラー／モノクロ印刷などの印刷書式であってもよく、更に、印刷書式に限らず、印刷枚数、両面印刷の有無、印刷開始、印刷停止などを指定する印刷制御情報であってもよい。
【００６８】
また、携帯端末装置１の配置状態としては、配置向き、配置位置、配置回数に限らず、携帯端末装置１の移動方向や移動量であってもよく、更に、配置向き、配置位置、配置回数、移動方向、移動量の２以上の組み合わせであってもよい。
【００６９】
また、上述した各実施形態においては、携帯端末装置１としてスマートフォンと呼ばれる多機能型携帯電話機に適用した場合を示したが、これに限らず、タブレット端末装置・ＰＤＡ（個人向け携帯型情報通信機器）・デジタルカメラ・音楽プレイヤーなどであってもよく、勿論、デジタルカメラ自体であってもよい。
【００７０】
また、上述した各実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００７１】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
印刷データを受信して印刷する印刷装置と、前記印刷装置に印刷データを送信する携帯端末装置とを備えたデータ印刷システムであって、
前記印刷装置に配置されている前記携帯端末装置の配置状態を判別する状態判別手段と、
前記状態判別手段によって判別された配置状態に応じて印刷制御情報を決定する決定手段と、
前記携帯端末装置から印刷データを受信して印刷する場合に、前記決定手段によって決定された印刷制御情報にしたがって当該印刷データの印刷を制御する印刷手段と、
を備えることを特徴とするデータ印刷システムである。
（請求項２）
請求項２に記載の発明は、請求項１に記載のデータ印刷システムにおいて、
前記状態判別手段は、種類が異なる複数の配置状態の中から前記印刷装置に前記携帯端末装置が配置された配置状態を判別し、
前記決定手段は、前記状態判別手段によって判別された複数の配置状態の個々に対応した印刷制御情報をそれぞれ決定し、
前記印刷手段は、前記決定手段によって決定された複数の印刷制御情報にしたがって当該印刷データの印刷を制御する、
ようにしたことを特徴とする請求項１に記載のデータ印刷システムである。
（請求項３）
請求項３に記載の発明は、請求項１あるいは請求項２に記載のデータ印刷システムにおいて、
前記状態判別手段は、前記印刷装置の配置面上に配置された前記携帯端末装置の向きを配置状態として判別する、
ようにしたことを特徴とするデータ印刷システムである。
（請求項４）
請求項４に記載の発明は、請求項３に記載のデータ印刷システムにおいて、
前記状態判別手段は、前記印刷装置の配置面上に配置された前記携帯端末装置が横向き配置か縦向き配置かを配置状態として判別し、
前記決定手段は、前記状態判別手段によって判別された配置状態が横向き配置であれば、横方向への印刷を示す印刷制御情報を決定し、配置状態が縦向き配置であれば、縦方向への印刷を示す印刷制御情報を決定する、
ようにしたことを特徴とするデータ印刷システムである。
（請求項５）
請求項５に記載の発明は、請求項１〜請求項４のいずれかに記載のデータ印刷システムにおいて、
前記状態判別手段は、前記印刷装置の配置面上に配置された前記携帯端末装置の形体を配置状態として判別する、
ようにしたことを特徴とするデータ印刷システムである。
（請求項６）
請求項６に記載の発明は、請求項５に記載のデータ印刷システムにおいて、
前記決定手段は、前記状態判別手段によって配置状態として判別された前記携帯端末装置の形体に応じてその形体と相似形の領域を印刷範囲とする印刷制御情報を決定する、
ようにしたことを特徴とするデータ印刷システムである。
（請求項７）
請求項７に記載の発明は、請求項１〜請求項６のいずれかに記載のデータ印刷システムにおいて、
前記状態判別手段は、前記印刷装置の配置面上に配置された前記携帯端末装置の位置を配置状態として判別する、
ようにしたことを特徴とするデータ印刷システムである。
（請求項８）
請求項８に記載の発明は、請求項７に記載のデータ印刷システムにおいて、
前記決定手段は、前記状態判別手段によって配置状態として判別された前記携帯端末装置の位置に応じて用紙サイズを示す印刷制御情報を決定する、
ようにしたことを特徴とするデータ印刷システムである。
（請求項９）
請求項９に記載の発明は、請求項１〜請求項８のいずれかに記載のデータ印刷システムにおいて、
前記状態判別手段は、前記印刷装置の配置面上に配置された前記携帯端末装置の配置回数を配置状態として判別する、
ようにしたことを特徴とするデータ印刷システムである。
（請求項１０）
請求項１０に記載の発明は、請求項９に記載のデータ印刷システムにおいて、
前記決定手段は、前記状態判別手段は、前記状態判別手段によって配置状態として判別された配置回数に基づいて印刷制御情報を決定する際に、同一用紙上を複数の領域に分割して印刷する分割領域数を示す印刷制御情報を決定し、
前記印刷手段は、前記決定手段によって決定された印刷制御情報にしたがって印刷する際に、同一用紙上を前記分割領域数に応じて分割した各分割領域内に異なるデータを割り当てながら領域毎に印刷を行う、
ようにしたことを特徴とするデータ印刷システムである。
（請求項１１）
請求項１１に記載の発明は、請求項１〜請求項１０のいずれかに記載のデータ印刷システムにおいて、
前記印刷装置は、
前記状態判別手段と、前記決定手段と、前記印刷手段を備える、
ようにしたことを特徴とするデータ印刷システムである。
（請求項１２）
請求項１２に記載の発明は、
印刷データを受信して印刷する印刷装置に印刷データを送信する携帯端末装置であって、
前記印刷装置に配置された当該装置本体の配置状態を判別する状態判別手段と、
前記状態判別手段によって判別された配置状態に応じて印刷制御情報を決定する決定手段と、
前記決定手段によって決定された印刷制御情報と前記印刷データを前記印刷装置に送信する送信手段と、
を備えることを特徴とする携帯端末装置である。
（請求項１３）
請求項１３に記載の発明は、請求項１２記載の携帯端末装置において、
前記状態判別手段は、種類が異なる複数の配置状態を判別し、
前記決定手段は、前記状態判別手段によって判別された複数の配置状態の個々に対応した印刷制御情報をそれぞれ決定する、
ようにしたことを特徴とする携帯端末装置である。
（請求項１４）
請求項１４に記載の発明は、請求項１２あるいは請求項１３に記載の携帯端末装置において、
前記状態判別手段は、当該装置本体の姿勢を前記配置状態として判別する、
ようにしたことを特徴とする携帯端末装置である。
（請求項１５）
請求項１５に記載の発明は、
コンピュータに対して、
印刷データを受信して印刷する印刷装置に配置された装置本体の配置状態を判別する機能と、
前記判別された配置状態に応じて印刷制御情報を決定する機能と、
前記決定された印刷制御情報と前記印刷データを前記印刷装置に送信する機能と、
を実現させるためのプログラムである。
【符号の説明】
【００７２】
１  携帯端末装置
２  コピー機
２ａ  配置面（配置台）
１１、２１  ＣＰＵ
１３、２２  記憶部
１３ａ、２２ａ  プログラムメモリ
１６  タッチ入力表示部
１７、２７ｂ  近距離無線通信部
１８  加速度センサ
２５  表示部
２６  プリンタ機構部
２７ａ  配置検出部
ＥＬ１〜ＥＬ４、ＥＣ１〜ＥＣ４  発光部
ＲＬ１〜ＲＬ４、ＲＣ１〜ＲＣ４  受光部
【図１】
0005874918.tif 000002
【図２】
0005874918.tif 000003
【図３】
0005874918.tif 000004
【図４】
0005874918.tif 000005
【図５】
0005874918.tif 000006
【図６】
0005874918.tif 000007
【図７】
0005874918.tif 000008
【図８】
0005874918.tif 000009
【図９】
0005874918.tif 000010
【図１０】
0005874918.tif 000011
【図１１】
0005874918.tif 000012
【図１２】
0005874918.tif 000013
【図１３】
0005874918.tif 000014
【図１４】
0005874918.tif 000015
【図１５】
0005874918.tif 000016